(57)【要約】【課題】根鉢を整頓した状態で、且つ苗木を傷つけることなく簡便に苗木の袋詰め作業を行うことができる苗木の袋詰め補助具を提供すること。【解決手段】長手方向に貫通する筒状体２を備え、筒状体２には長手方向に沿って少なくとも１本の苗木Ｎの根鉢Ｎｂと枝Ｎａが挿通可能な大きさのスリット３が形成されている。【選択図】図２
2018186740.tif 000002
【特許請求の範囲】
【請求項１】
長手方向に貫通する筒状体を備え、該筒状体には長手方向に沿って少なくとも１本の苗木の根鉢と枝が挿通可能な大きさのスリットが形成されていることを特徴とする苗木の袋詰め補助具。
【請求項２】
前記筒状体は、略円柱状に形成されていることを特徴とする請求項１に記載の苗木の袋詰め補助具。
【請求項３】
前記スリットは、前記筒状体の長手方向の両端部に連続して切り欠かれていることを特徴とする請求項１または２に記載の苗木の袋詰め補助具。
【請求項４】
前記スリットは、蓋部材により開閉可能であることを特徴とする請求項１ないし３のいずれかに記載の苗木の袋詰め補助具。
【請求項５】
前記蓋部材による前記スリットの閉鎖状態を保持する閉鎖保持手段を備えていることを特徴とする請求項４に記載の苗木の袋詰め補助具。
【請求項６】
前記筒状体は、アルミで形成されていることを特徴とする請求項１ないし５のいずれかに記載の苗木の袋詰め補助具。
【発明の詳細な説明】
【技術分野】
【０００１】
本発明は、苗木を袋詰めする際に使用する補助具に関する。
【背景技術】
【０００２】
挿し木による山林樹木の育苗は、木材生産用に適しており、スギの生産等に用いられる。このような挿し木による山林樹木の育苗技術として、例えば、特許文献１に示されるようなものが開発されている。特許文献１に示される山林樹木の育苗技術は、苗木を室内において製造する方法であり、採穂園から採穂した穂木を挿し木し、該穂木から発根がなされた後に根の伸長を促進させる根伸長工程を行うことにより、根鉢（根と土が塊状となったもの）の形成が促進される。このようにして植樹可能な状態にまで育成された苗木は、複数本（例えば３０本）をセットにして袋詰めされて出荷される。
【先行技術文献】
【特許文献】
【０００３】
【特許文献１】特開２０１３−１７２６８５号公報（第５頁、第２図）
【発明の概要】
【発明が解決しようとする課題】
【０００４】
しかしながら、上述のような袋詰め作業にあっては、袋の上部開口から複数の苗木を順次袋詰めするようになっているため、袋内に先行して収納した苗木の枝が後続の苗木を袋に収容する作業時に邪魔になり、かかる作業が煩雑であるとともに、苗木を傷付けてしまう虞があった。また、先行して収納した苗木の枝が邪魔になることで、後続の苗木の根鉢を先行して収納した苗木の根鉢に近付けて配置することが困難であり、袋に対して効率よく苗木を収容できなかった。
【０００５】
本発明は、このような問題点に着目してなされたもので、根鉢を整頓した状態で、且つ苗木を傷つけることなく簡便に苗木の袋詰め作業を行うことができる苗木の袋詰め補助具を提供することを目的とする。
【課題を解決するための手段】
【０００６】
前記課題を解決するために、本発明の苗木の袋詰め補助具は、
長手方向に貫通する筒状体を備え、該筒状体には長手方向に沿って少なくとも１本の苗木の根鉢と枝が挿通可能な大きさのスリットが形成されていることを特徴としている。
この特徴によれば、苗木の袋詰め補助具を構成する筒状体内に側方からスリットを介して苗木を挿入し、筒状体に袋を被せた状態で袋から筒状体を引き抜くことで該筒状体の長手方向の一方から苗木が通過して袋内に収容されるため、苗木の根鉢を整頓した状態で配置することができるとともに、苗木を傷つけることなく簡便に袋詰め作業を行うことができる。
【０００７】
前記筒状体は、略円柱状に形成されていることを特徴としている。
この特徴によれば、略円柱状に形成された苗木の根鉢の形状に合わせて筒状体に効率よく収容することができる。
【０００８】
前記スリットは、前記筒状体の長手方向の両端部に連続して切り欠かれていることを特徴としている。
この特徴によれば、苗木の枝や幹に干渉させずに袋から筒状体を引き抜くことができる。
【０００９】
前記スリットは、蓋部材により開閉可能であることを特徴としている。
この特徴によれば、開放状態とすることでスリットから苗木を筒状部内に収容することができ、閉鎖状態とすることでスリットから苗木が脱落することを防止できる。
【００１０】
前記蓋部材による前記スリットの閉鎖状態を保持する閉鎖保持手段を備えていることを特徴としている。
この特徴によれば、閉鎖保持手段を用いることで、蓋部材を手で押さえなくてもスリットの閉鎖状態が保持されるため、操作性が良い。
【００１１】
前記筒状体は、アルミで形成されていることを特徴としている。
この特徴によれば、筒状体の剛性を確保しつつ、軽量化することができる。
【図面の簡単な説明】
【００１２】
【図１】（ａ）は実施例１における苗木の袋詰め補助具の閉鎖状態を示す斜視図、（ｂ）は補助具の開放状態を示す斜視図である。
【図２】補助具内に苗木を配置する様子を示す斜視図である。
【図３】（ａ）〜（ｃ）は苗木の根鉢を積み重ねて配置する手順の一例を示す概略図である。
【図４】先に筒状体内に収容した苗木を避けて後続の苗木を収容する様子を示す破断拡大図である。
【図５】（ａ）は補助具内に苗木を配置した状態を示す斜視図、（ｂ）は苗木を配置した補助具を閉鎖状態とした斜視図である。
【図６】（ａ）は図５（ｂ）の状態から補助具に袋をセットした状態を示す斜視図、（ｂ）は（ａ）の状態から補助具を立設させた状態を示す斜視図である。
【図７】（ａ）は補助具を袋から引き抜く様子を示す斜視図、（ｂ）は苗木の袋詰めが完了した状態を示す斜視図である。
【図８】閉鎖保持手段の変形例を示す斜視図である。
【図９】（ａ）は変形例における閉鎖保持手段を用いて苗木を緩めに保持する形態を示す底面図、（ｂ）は同じく苗木をきつめに保持する形態を示す底面図である。
【発明を実施するための形態】
【００１３】
本発明に係る苗木の袋詰め補助具を実施するための形態を実施例に基づいて以下に説明する。
【実施例１】
【００１４】
実施例１に係る苗木の袋詰め補助具につき、図１から図７を参照して説明する。
【００１５】
図７（ｂ）に示されるように、本実施例の苗木の袋詰め補助具１（以下、単に補助具１という）は、ポットやコンテナに挿し木することにより植樹可能となった苗木Ｎを複数本（例えば、３０本）をセットにして袋詰めして出荷する場合において、その袋詰め作業に用いられるものである。尚、袋詰めする苗木Ｎの本数は適宜変更できる。
【００１６】
図１及び図２に示されるように、補助具１は、長手方向に貫通した略円柱状の筒状体２と、筒状体２のスリット３を開閉可能な蓋部材４と、蓋部材４の閉鎖状態を保持する閉鎖保持手段６と、を主に備えている。
【００１７】
筒状体２は、略円筒状のアルミ材により形成されており、該筒状体２の長手方向両端部に設けられた貫通孔２１，２２に連続するように長手方向に沿って切り欠かれたスリット３が形成されている。すなわち、筒状体２は、該筒状体２の端部側（貫通孔２１，２２側）から見て略Ｃ字形状を成している。スリット３は、苗木Ｎの枝Ｎａと根鉢Ｎｂとが挿通可能な大きさに形成されており、筒状体２の側方からスリット３を介して該筒状体２の内部に苗木Ｎを配置できるようになっている（特に図２参照）。
【００１８】
また、筒状体２内には、複数本の苗木Ｎ，Ｎ，…を収容できるようになっている。詳しくは、筒状体２は、苗木Ｎの根鉢Ｎｂを径方向に複数収容でき、且つ長手方向に複数積み重ねて収容できる寸法に形成されている（図５（ａ）参照）。
【００１９】
蓋部材４は、スリット３を形成するために筒状体２の周壁を切り欠いた切片であり、スリット３と同一の外形と筒状体２と同一の曲率を有している。この蓋部材４は、スリット３の周方向における両端縁３ａ，３ｂのうち一方側（ここでは、端縁３ａ）に蝶番５，５により取付けられており、蝶番５，５の上下方向に延びる回動軸（図示略）を中心として、筒状体２に対して蓋部材４が回動可能となっている。したがって、スリット３は、蓋部材４により閉塞された閉鎖状態（図１（ａ）参照）と、蓋部材４が開放された開放状態（図１（ｂ）参照）と、に変更することができる。
【００２０】
閉鎖保持手段６は、筒状体２の外面においてスリット３の端縁３ｂの近傍に設けられる面ファスナからなる接続部６１と、一端が蓋部材４の外面に固定され他端が接続部６１まで延びる帯状部６２と、帯状部６２の他端側に設けられ接続部６１に接続可能な面ファスナからなる被接続部６３と、を備えており、蓋部材４によりスリット３を閉鎖した閉鎖状態において、被接続部６３と被接続部６３とを係着させることによりスリット３の閉鎖状態が保持される。尚、本実施例の接続部６１及び被接続部６３は、面ファスナである形態を例示しているが、ボタンなどの他の留め具で接続するようになっていてもよい。
【００２１】
次に、筒状体２内に苗木Ｎ，Ｎ，…の根鉢Ｎｂ，Ｎｂ，…を積み重ねて配置する手順の一例について図３及び図４に基づいて説明する。尚、ここでは、苗木Ｎの根鉢Ｎｂのみを図示し、枝Ｎａの図示を省略する。さらに尚、根鉢Ｎｂにおける枝Ｎａが生える面をα面、枝Ｎａが生える面とは反対側の面をβ面として説明する。
【００２２】
図３（ａ）に示されるように、先ず、筒状体２を横方向に倒した状態とし、該筒状体２の内周面におけるスリット３から遠い位置（スリット３から見て奥側）に１段目の根鉢Ｎｂ１，Ｎｂ１，…を５つ配置する（１段目外側）。このとき、根鉢Ｎｂ１，Ｎｂ１，…も横方向に倒した状態にするとともに、該根鉢Ｎｂ１，Ｎｂ１，…のβ面を筒状体２の一方の貫通孔２２側に寄せて配置する。このように、スリット３を介して筒状体２の側方から順次苗木Ｎ，Ｎ，…を収容できるため、筒状体２内に先行して収納した苗木Ｎの枝Ｎａが後続の苗木Ｎを挿入する際に邪魔にならず、根鉢Ｎｂ１，Ｎｂ１，…同士を近付けて整頓した状態で筒状体２内に配置できる。
【００２３】
次いで、図３（ｂ）に示されるように、１段目の根鉢Ｎｂ１，Ｎｂ１，…のα面に２段目の根鉢Ｎｂ２，Ｎｂ２，…のβ面を近付けるように６つ配置する（２段目外側）。図４に示されるように、２段目の根鉢Ｎｂ２，Ｎｂ２，…を１段目の根鉢Ｎｂ１，Ｎｂ１，…の側方から配置できるため、例えば、１段目の根鉢Ｎｂ１，Ｎｂ１，…の枝Ｎａ，Ｎａ，…側から２段目の根鉢Ｎｂ２，Ｎｂ２，…を配置することに比べ、１段目の根鉢Ｎｂ１，Ｎｂ１，…の枝Ｎａ，Ｎａ，…を避けて根鉢Ｎｂ２，Ｎｂ２，…を配置しやすい。尚、２段目の苗木Ｎ，Ｎ，…の枝Ｎａ，Ｎａ，…は、筒状体２の他方の貫通孔２１側を介して貫通孔２１側の外部に突出させることができる。
【００２４】
次いで、図３（ｃ）に示されるように、１段目の根鉢Ｎｂ１，Ｎｂ１，…の上方（筒状体２の内径方向）に根鉢Ｎｂ３，Ｎｂ３，…を載置して６つ配置する（１段目内側）。その後、図示しないが、２段目の根鉢Ｎｂ２，Ｎｂ２，…の上方に別の根鉢を載置して配置し、これを繰り返すことにより、筒状体２内に所定本数（３０本）の苗木Ｎ，Ｎ，…が収納される。このように、筒状体２におけるスリット３から遠い位置から根鉢Ｎｂ，Ｎｂ，…を徐々に積み重ねて配置することにより、根鉢Ｎｂ，Ｎｂ，…同士を近付けて筒状体２内に簡便に収容することができる。
【００２５】
尚、筒状体２内に苗木Ｎ，Ｎ，…の根鉢Ｎｂ，Ｎｂ，…を積み重ねて配置する上記手順は一例であり、一度に配置する根鉢の数量や順番等は自由に変更することができる。例えば、本実施例では、根鉢Ｎｂを筒状体２の長手方向に２段配置する形態を例示したが、筒状体２の長手方向に１段または３段以上配置するようにしてもよい。
【００２６】
次いで、補助具１を用いた袋詰め作業について、図５〜図７に基づいて説明する。
【００２７】
先ず、図５（ａ）に示されるように、補助具１を横向きに倒すとともに、スリット３を開放状態とし、筒状体２内に苗木Ｎ，Ｎ，…を所定本数配置する。前述のように筒状体２は、略円筒状を成しているため、略円筒状を成す苗木Ｎの根鉢Ｎｂを効率よく収容できる。
【００２８】
次に、図５（ｂ）に示されるように、蓋部材４を閉動作させてスリット３を閉鎖状態とするとともに、閉鎖保持手段６によりスリット３の閉鎖状態を保持する。これにより、スリット３から苗木Ｎ，Ｎ，…が脱落することが防止される。尚、蓋部材４は、スリット３を形成するために筒状体２の周壁を切り欠いた切片であり、筒状体２と同一の曲率を有しているため、スリット３の閉鎖状態にあっては、筒状体２の内周面と蓋部材４の内周面とが連続して略円筒状を成す。
【００２９】
次に、図６（ａ）に示されるように、補助具１における筒状体２の貫通孔２２側にネット状の袋７を被覆させる。このとき、袋７の開口側を外側に折り込んだ状態で補助具１に袋７を被覆させる。そして、図６（ｂ）に示されるように、筒状体２の貫通孔２２側を下にして補助具１を地面や床面に立設させる。
【００３０】
その後、図７（ａ）に示されるように、袋７の折り込みを戻しながら補助具１を上方に引き抜く。これにより、筒状体２の貫通孔２２から苗木Ｎ，Ｎ，…が通過して袋７内に収容されることとなる。このように、苗木Ｎ，Ｎ，…を収容した状態で補助具１を立設させる作業や補助具１を袋７から引き抜く作業時には、閉鎖保持手段６によりスリット３の閉鎖状態が保持されているため、上記作業を両手を使って行うことができ、操作性が良い。
【００３１】
また、スリット３の閉鎖状態にあっては、筒状体２の内周面と蓋部材４の内周面とが連続して略円筒状を成しているため、筒状体２の内周面と蓋部材４の内周面との段差が形成されず、苗木Ｎに引っ掛かることなく補助具１の引き抜き作業を行うことができる。更に、前述の蝶番５，５は筒状体２及び蓋部材４の外周面に取付けられていることから、補助具１の内周面側に突出せず、補助具１内に収容した苗木Ｎを傷つけることがない。
【００３２】
そして、図７（ｂ）に示されるように、補助具１が袋７から取出され、袋７の開口に設けられる紐７ａで該開口を縛ることで苗木Ｎ，Ｎ，…の袋詰め作業が完了する。
【００３３】
以上説明したように、補助具１は、長手方向に貫通する筒状体２の長手方向に沿って少なくとも１本の苗木Ｎの根鉢Ｎｂと枝Ｎａが挿通可能な大きさのスリット３が形成されている。これによれば、スリット３を介して筒状体２の側方から順次苗木Ｎ，Ｎ，…を収容できるため、筒状体２内に先行して収納した苗木Ｎの枝Ｎａが後続の苗木Ｎを挿入する際に邪魔にならず、根鉢Ｎｂ，Ｎｂ，…を近付けて整頓した状態で筒状体２内に配置できるとともに、苗木Ｎ，Ｎ，…を傷つけることを抑制できる。また、苗木Ｎ，Ｎ，…を収容した状態で補助具１に袋７を被せ該補助具１を袋７から引き抜くことで、筒状体２の一方の貫通孔２２から苗木Ｎ，Ｎ，…が通過するため、複数本の苗木Ｎ，Ｎ，…を一度に袋７内に収容できる。
【００３４】
また、スリット３は、筒状体２の両端部の貫通孔２１，２２に連続して切り欠かれていることにより、筒状体２は撓曲変形可能となっている。これによれば、例えば、筒状体２内に苗木Ｎ，Ｎ，…を配置するときに、スリット３の両端縁３ａ，３ｂが離間するように筒状体２を撓曲変形させることで、スリット３の周方向の開口領域を大きくすることができ、苗木Ｎ，Ｎ，…を筒状体２内に挿入しやすくできるため、作業性が向上する。
【００３５】
また、筒状体２及び蓋部材４は、アルミで形成されているため、筒状体２及び蓋部材４の剛性を確保しつつ、軽量化することができる。尚、筒状体２及び蓋部材４は、ある程度の剛性を有するものであれば、例えば、段ボールや樹脂、その他金属等のアルミ以外の部材で構成されていてもよい。
【００３６】
次に、閉鎖保持手段の変形例として次のようなものもある。図８に示されるように、補助具１’における閉鎖保持手段６０は、接続部６１’が筒状体２の周方向に長くなるように形成されている。
【００３７】
図９（ａ）に示されるように、接続部６１’のスリット３側の端部に被接続部６３を係着させることで、苗木Ｎ，Ｎ，…の根鉢Ｎｂ，Ｎｂ，…を緩めに保持することができる。また、図９（ｂ）に示されるように、接続部６１’のスリット３と離れる側の端部に被接続部６３を係着させることで、筒状体２の内径を縮径させるように撓曲変形させ、苗木Ｎ，Ｎ，…の根鉢Ｎｂ，Ｎｂ，…を締め付けて保持することができる。
【００３８】
これによれば、苗木Ｎ，Ｎ，…の根鉢Ｎｂ，Ｎｂ，…を締め付けて保持することで、補助具１’に袋７を被せる作業時（図６（ａ）参照）や補助具１’を立設させる作業時（図６（ｂ）参照）等に筒状体２の貫通孔２１，２２から苗木Ｎ，Ｎ，…が脱落しないようにできる。尚、前記実施例では、貫通孔２２からの苗木Ｎ，Ｎ，…の脱落を防止するために、筒状体２を略水平方向に維持したまま持ち上げ、その状態で袋７を被せる作業を行っていたが、根鉢Ｎｂ，Ｎｂ，…を締め付けて保持する場合、貫通孔２１，２２から苗木Ｎ，Ｎ，…が脱落しないため、補助具１’を略垂直方向に立てた状態で袋７に差し込むことができる。
【００３９】
また、苗木Ｎ，Ｎ，…の根鉢Ｎｂ，Ｎｂ，…を緩めに保持するように変更することで、補助具１’を袋７から引き抜く作業時（図７（ａ）参照）等に苗木Ｎ，Ｎ，…が筒状体２の貫通孔２２から抜けやすくできる。
【００４０】
尚、前記実施例においては、筒状体２にスリット３を開閉可能な蓋部材４が取付けられている形態を例示したが、これに限定されるものではなく、蓋部材４の構成を省略してもよい。この場合であっても、筒状体２の側方からスリット３を介して苗木Ｎ，Ｎ，…を挿入できるため、根鉢Ｎｂ，Ｎｂ，…同士を近付けた状態で、且つ傷つけることなく簡便に配置できる。さらに、スリット３は、筒状体２の貫通孔２１，２２に連続するように長手方向に沿って切り欠かれているため、筒状体２の内周面に苗木Ｎ，Ｎ，…を干渉させることなく補助具１を袋７から引き抜く作業を行える。尚、蓋部材４の構成を省略した場合、筒状体２は、スリット３から苗木Ｎ，Ｎ，…が脱落しにくくするために、該筒状体２の端部側（貫通孔２１，２２側）から見て半円以上の弧を有する略Ｃ字形状を成すことが好ましい。
【００４１】
また、前記実施例では、筒状体２が略円筒形状を成す形態を例示したが、略円筒状の根鉢Ｎｂ，Ｎｂ，…を収容しやすいように内周面が略円筒形状を成していればよく、例えば、外周面は多角形の筒状等に自由に設計してもよい。
【００４２】
また、前記実施例では、スリット３が筒状体２の貫通孔２１，２２に連続するように長手方向に沿って切り欠かれている形態を例示したが、枝Ｎａ及び根鉢Ｎｂが挿通可能な大きさであればよく、例えば、筒状体２の壁部に周縁が囲われた矩形状のスリットであってもよいし、矩形状以外の形状を有するスリットであってもよい。
【００４３】
また、前記実施例では、蓋部材４は、スリット３を形成するために筒状体２の周壁を切り欠いた切片である形態を例示したが、これに限られず、筒状体２とは別に蓋部材を用意してもよい。
【００４４】
また、前記実施例では、蓋部材４が蝶番５，５により筒状体２に対して回動可能に取付けられていたが、スリット３を開閉可能であれば自由に設計できる。例えば、スリット３の両端縁３ａ，３ｂに向き合うように凹状のレール溝を設け、該レール溝に蓋部材の両端縁を嵌合及びスライドさせて筒状体に蓋部材が着脱可能となっていてもよい。
【００４５】
また、前記実施例では、閉鎖保持手段６が接続部６１、帯状部６２、被接続部６３により構成される形態を例示したが、蓋部材４によるスリット３の閉鎖状態を保持できればよく、例えば、筒状体２と蓋部材４との外周面に渡って延びる環状のバンドなどであってもよい。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、前記実施例では、補助具１を横に倒した状態で苗木Ｎ，Ｎ，…を配置し、その後、補助具１を立設させて袋７内に苗木Ｎ，Ｎ，…を収容する形態を例示したが、例えば、立設した補助具１の下端に予め袋７を被せた状態で、筒状体２の側方からスリット３を介して苗木Ｎ，Ｎ，…を収容する形態であってもよい。尚、この場合、蓋部材４が袋７と干渉する虞があるため、上述のように蓋部材４の構成を省略する形態か、蓋部材４が筒状体２に対して着脱可能な形態とすることが好ましい。
【符号の説明】
【００４８】
１，１’          袋詰め補助具
２                筒状体
３                スリット
４                蓋部材
６                閉鎖保持手段
７                袋
２１，２２        貫通孔
６０              閉鎖保持手段
Ｎ                苗木
Ｎａ              枝
Ｎｂ              根鉢
【図１】
2018186740.tif 000003
【図２】
2018186740.tif 000004
【図３】
2018186740.tif 000005
【図４】
2018186740.tif 000006
【図５】
2018186740.tif 000007
【図６】
2018186740.tif 000008
【図７】
2018186740.tif 000009
【図８】
2018186740.tif 000010
【図９】
2018186740.tif 000011